(57)【要約】【課題】２Ｄ画像と３Ｄ画像とを表示可能であって、２Ｄ画像を高解像度で表示する。【解決手段】表示用データに基づき、表示モジュールの表示動作を制御し（Ｓ３）、バリア用データに基づき、バリア制御素子の動作を制御する（Ｓ４）。したがって、読み出された表示用データが、部分的に３Ｄ画像データを含む２Ｄ画像データである場合には、２Ｄ画像データに基づく２次元画像を表示モジュールに表示させるとともに、３Ｄ画像データの左目用画像データに基づく左目用画像と、右目用画像データに基づく右目用画像とを交互に表示モジュールに表示させ、バリア制御素子の左目用画像と右目用画像との間のみに、バリアを形成する。このとき、２次元画像は、表示モジュールが有する全画素数を用いて表示されることかから部分的な３Ｄ画像の表示を可能にしつつ、２Ｄ画像を表示モジュールの解像度に応じた高解像度で表示することができる。【選択図】図４
2010231045.tif 000002
【特許請求の範囲】
【請求項１】
表示モジュールの前面に、部分的にバリア形成可能なバリア素子を配置してなるパララックスバリア方式の表示装置であって、
２次元画像を表示するための２Ｄデータと、３次元画像を表示するための３Ｄデータとを含む画像データを供給する供給手段と、
この供給手段により供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御手段と、
前記供給手段により供給された前記画像データが有する前記３Ｄデータに基づき前記バリア素子を制御し、前記左目用及び右目用画像に対応して、バリアを形成させるバリア制御手段と
を備えることを特徴とする画像表示装置。
【請求項２】
前記供給手段は、前記３Ｄデータ部分が含まれている領域が変化する画像データを順次供給し、
前記表示制御手段は、前記３Ｄデータ部分の領域に対応して視差のある左目用画像と右目用画像との表示領域を表示させ、
前記バリア制御手段は、前記表示制御手段による左目用画像と右目用画像の表示領域の変化に追従して、前記バリアを形成させる領域を変化させることを特徴とする請求項１記載の画像表示装置。
【請求項３】
前記供給手段により供給される画像データが有する前記３Ｄデータは、前記表示モジュールを制御する表示用データと、前記バリア素子を制御するバリア用データとで構成され、
前記表示制御手段は、前記表示用データに基づき前記表示モジュールを制御し、
前記バリア制御手段は、前記バリア用データに基づき前記バリア素子を制御することを特徴とする請求項１又は２記載の画像表示装置。
【請求項４】
前記表示用データと前記バリア用データとで構成された前記３Ｄデータを含む画像データを記憶した記憶手段を備え、
前記供給手段は、前記記憶手段から前記表示用データと前記バリア用データとで構成された前記３Ｄデータを含む画像データを読み出して供給することを特徴とする請求項３記載の画像表示装置。
【請求項５】
前記表示用データのみで構成された前記３Ｄデータを含む画像データを記憶した記憶手段と、
この記憶手段に記憶された前記表示用データにおける前記３Ｄデータに基づき、前記バリア用データを生成するバリア用データ生成手段とを備え、
前記供給手段は、前記記憶手段から前記３Ｄデータを含む画像データを読み出して供給するとともに、前記バリア用データ生成手段により生成されたバリア用データを供給することを特徴とする請求項３記載の画像表示装置。
【請求項６】
前記表示用データのみで構成され、かつ前記２Ｄデータのみを含む画像データを記憶した記憶手段と、
この記憶手段に記憶された前記２Ｄデータのみを含む画像データにおける所定の画像領域を３Ｄデータに変換して新たな表示用データを生成する表示用データ生成手段と、
この表示用データ生成手段により生成された表示用データにおける前記３Ｄデータの領域に応じて、前記バリア用データを生成するバリア用データ生成手段とを備え、
前記供給手段は、前記表示用データ生成手段により生成された表示用データと、前記バリア用データ生成手段により生成されたバリア用データとを供給することを特徴とする請求項３記載の画像表示装置。
【請求項７】
前記表示用データ生成手段は、前記画像データ中において主要画像とされた領域を３Ｄデータに変換して前記表示用データを生成することを特徴とする請求項６記載の画像表示装置。
【請求項８】
前記表示用データ生成手段は、前記画像データ中において動的領域を検出する検出手段を備え、この検出手段により検出された動的領域を前記主要画像として前記表示用データを生成することを特徴とする請求項７記載の画像表示装置。
【請求項９】
前記記憶手段に記憶された各画像データの種別を識別する識別手段を備え、
この識別手段により識別された画像データの種別に応じて、対応する手段を動作させる制御手段を備えることを特徴とする請求項４から８にいずれか記載の画像表示装置。
【請求項１０】
表示モジュールの前面に、部分的にバリア形成可能なバリア素子を配置してなるパララックスバリア方式の表示装置が有するコンピュータを、
２次元画像を表示するための２Ｄデータと、３次元画像を表示するための３Ｄデータとを含む画像データを供給する供給手段と、
この供給手段により供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御手段と、
前記供給手段により供給された前記画像データが有する前記３Ｄデータに基づき前記バリア素子を制御し、前記左目用及び右目用画像に対応して、バリアを形成させるバリア制御手段と
して機能させることを特徴とする画像表示プログラム。
【請求項１１】
表示モジュールの前面に、部分的にバリア形成可能なバリア素子を配置してなるパララックスバリア方式の表示装置における画像表示方法であって、
２次元画像を表示するための２Ｄデータと、３次元画像を表示するための３Ｄデータとを含む画像データを供給する供給ステップと、
この供給ステップにより供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御ステップと、
前記供給ステップにより供給された前記画像データが有する前記３Ｄデータに基づき前記バリア素子を制御し、前記左目用及び右目用画像に対応して、バリアを形成させるバリア制御ステップと
を含むことを特徴とする画像表示方法。
【発明の詳細な説明】
【技術分野】
【０００１】
本発明は、画像表示装置等に関し、特に、立体画像を表示することができる画像表示装置、画像表示プログラム及び画像表示方法に関する。
【背景技術】
【０００２】
従来より、２次元（２Ｄ）画像を表示する表示モジュールを用いて３次元（３Ｄ）画像（立体画像）を表示する方式の一つとして、パララックスバリア方式が知られている。パララックスバリア方式は、図１２に示すように、表示モジュール１００の前面に、光透過部１０１と遮光部１０２とを交互に配置したバリアパターン１０３を設け、このバリアパターン１０３を通して表示モジュール１００の表示面を観察することにより、立体視を実現させる方式である。
【０００３】
表示モジュール１００は、「Ｌ」の文字を付した画素に左目用の画像を、「Ｒ」の文字を付した画素に右目用の画像を表示する。バリアパターン１０３は、その遮光部１０２で表示モジュール１００からの光を遮るため、表示モジュール１００からの画像は、バリアパターン１０３の光透過部１０１を通してのみ観察者Ｍによって観察される。このとき、バリアパターン１０３のパターン及び配置を適切に設定することにより、観察者Ｍの右目は「Ｒ」画素によって表示される画像のみ、左目は「Ｌ」画素によって表示される画像のみを見ることができる。「Ｌ」画素及び「Ｒ」画素によってそれぞれ表示される画像には視差が与えられているので、観察者Ｍは立体視を行うことができる（特許文献１参照）。
【先行技術文献】
【特許文献】
【０００４】
【特許文献１】特開平７−２６１１１９号公報
【発明の概要】
【発明が解決しようとする課題】
【０００５】
このような３Ｄ画像を表示可能な画像表示装置にて画像を表示する場合、演出効果や高臨場感を狙って、途中で２Ｄ画像を表示したり、２Ｄ画像の一部に３Ｄ元画像を配した複合画像を表示させようとする場合がある。前述のパララックスバリア方式を用いた画像表示装置において、２次元画像を表示する場合には、観察者Ｍの左目と右目とに視差のない同一の画像が視認されなければならない。したがって、「Ｌ」画素及び「Ｒ」画素によってそれぞれ表示される画像は視差のない同一の画像であることが必要である。よって、当該それぞれの画像は、表示モジュール１００が有する全画素数の１／２の画素数を用いて表示されることとなり、必然的に解像度が半減してしまう。
【０００６】
本発明は、かかる実情に鑑みなされたものであり、２Ｄ画像と３Ｄ画像とを表示可能であって、２Ｄ画像を当該表示体の解像度に応じた高解像度で表示することのできる画像表示装置、画像表示プログラム及び画像表示方法を提供することを目的とする。
【課題を解決するための手段】
【０００７】
前記課題を解決するため、請求項１記載の発明に係る画像表示装置にあっては、表示モジュールの前面に、部分的にバリア形成可能なバリア素子を配置してなるパララックスバリア方式の表示装置であって、２次元画像を表示するための２Ｄデータと、３次元画像を表示するための３Ｄデータとを含む画像データを供給する供給手段と、この供給手段により供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御手段と、前記供給手段により供給された前記画像データが有する前記３Ｄデータに基づき前記バリア素子を制御し、前記左目用及び右目用画像に対応して、バリアを形成させるバリア制御手段とを備えることを特徴とする。
【０００８】
また、請求項２記載の発明に係る画像表示装置にあっては、前記供給手段は、前記３Ｄデータ部分が含まれている領域が変化する画像データを順次供給し、前記表示制御手段は、前記３Ｄデータ部分の領域に対応して視差のある左目用画像と右目用画像との表示領域を表示させ、前記バリア制御手段は、前記表示制御手段による左目用画像と右目用画像の表示領域の変化に追従して、前記バリアを形成させる領域を変化させることを特徴とする。
【０００９】
また、請求項３記載の発明に係る画像表示装置にあっては、前記供給手段により供給される画像データが有する前記３Ｄデータは、前記表示モジュールを制御する表示用データと、前記バリア素子を制御するバリア用データとで構成され、前記表示制御手段は、前記表示用データに基づき前記表示モジュールを制御し、前記バリア制御手段は、前記バリア用データに基づき前記バリア素子を制御することを特徴とする。
【００１０】
また、請求項４記載の発明に係る画像表示装置にあっては、前記表示用データと前記バリア用データとで構成された前記３Ｄデータを含む画像データを記憶した記憶手段を備え、前記供給手段は、前記記憶手段から前記表示用データと前記バリア用データとで構成された前記３Ｄデータを含む画像データを読み出して供給することを特徴とする。
【００１１】
また、請求項５記載の発明に係る画像表示装置にあっては、前記表示用データのみで構成された前記３Ｄデータを含む画像データを記憶した記憶手段と、この記憶手段に記憶された前記表示用データにおける前記３Ｄデータに基づき、前記バリア用データを生成するバリア用データ生成手段とを備え、前記供給手段は、前記記憶手段から前記３Ｄデータを含む画像データを読み出して供給するとともに、前記バリア用データ生成手段により生成されたバリア用データを供給することを特徴とする。
【００１２】
また、請求項６記載の発明に係る画像表示装置にあっては、前記表示用データのみで構成され、かつ前記２Ｄデータのみを含む画像データを記憶した記憶手段と、この記憶手段に記憶された前記２Ｄデータのみを含む画像データにおける所定の画像領域を３Ｄデータに変換して新たな表示用データを生成する表示用データ生成手段と、この表示用データ生成手段により生成された表示用データにおける前記３Ｄデータの領域に応じて、前記バリア用データを生成するバリア用データ生成手段とを備え、前記供給手段は、前記表示用データ生成手段により生成された表示用データと、前記バリア用データ生成手段により生成されたバリア用データとを供給することを特徴とする。
【００１３】
また、請求項７記載の発明に係る画像表示装置にあっては、前記表示用データ生成手段は、前記画像データ中において主要画像とされた領域を３Ｄデータに変換して前記表示用データを生成することを特徴とする。
【００１４】
また、請求項８記載の発明に係る画像表示装置にあっては、前記表示用データ生成手段は、前記画像データ中において動的領域を検出する検出手段を備え、この検出手段により検出された動的領域を前記主要画像として前記表示用データを生成することを特徴とする。
【００１５】
また、請求項９記載の発明に係る画像表示装置にあっては、前記記憶手段に記憶された各画像データの種別を識別する識別手段を備え、この識別手段により識別された画像データの種別に応じて、対応する手段を動作させる制御手段を備えることを特徴とする。
【００１６】
また、請求項１０記載の発明に係る画像表示プログラムにあっては、表示モジュールの前面に、部分的にバリア形成可能なバリア素子を配置してなるパララックスバリア方式の表示装置が有するコンピュータを、２次元画像を表示するための２Ｄデータと、３次元画像を表示するための３Ｄデータとを含む画像データを供給する供給手段と、この供給手段により供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御手段と、前記供給手段により供給された前記画像データが有する前記３Ｄデータに基づき前記バリア素子を制御し、前記左目用及び右目用画像に対応して、バリアを形成させるバリア制御手段として機能させることを特徴とする。
【００１７】
また、請求項１１記載の発明に係る画像表示方法にあっては、表示モジュールの前面に、部分的にバリア形成可能なバリア素子を配置してなるパララックスバリア方式の表示装置における画像表示方法であって、２次元画像を表示するための２Ｄデータと、３次元画像を表示するための３Ｄデータとを含む画像データを供給する供給ステップと、この供給ステップにより供給された前記画像データに基づき前記表示モジュールを制御し、前記２Ｄデータに対応して２次元画像を表示させるとともに、前記３Ｄデータに対応して視差のある左目用画像と右目用画像とを表示させる表示制御ステップと、前記供給ステップにより供給された前記画像データが有する前記３Ｄデータに基づき前記バリア素子を制御し、前記左目用及び右目用画像に対応して、バリアを形成させるバリア制御ステップとを含むことを特徴とする。
【発明の効果】
【００１８】
本発明によれば、２Ｄ画像は当該表示体の解像度に応じた高解像度で表示することができる。よって、高解像度で２Ｄ画像の表示を行いつつ、２Ｄ画像と３Ｄ画像とが混在する画像を再生表示することできる。
【図面の簡単な説明】
【００１９】
【図１】本発明の一実施の形態を適用した電子カメラのブロック図である。
【図２】表示装置の斜視図である。
【図３】表示装置の部分拡大斜視図である。
【図４】同実施の形態における処理手順を示すフローチャートである。
【図５】読み出された表示用データが３Ｄ画像データのみである場合の視線説明図である。
【図６】（Ａ）は読み出された表示用データが２Ｄ画像データのみである場合の視線説明図、（Ｂ）は読み出された表示用データが部分的に３Ｄ画像データを含む２Ｄ画像データである場合の視線説明図である。
【図７】（Ａ）は読み出された表示用データが２Ｄ画像データのみである場合の表示説明図、（Ｂ）は読み出された表示用データが部分的に３Ｄ画像データを含む２Ｄ画像データである場合の表示説明図である。
【図８】主要画像のみを立体画像にして表示した状態の斜視図である。
【図９】主要画像の領域とバリアの領域との関係を示す図である。
【図１０】図９に続く表示遷移図である。
【図１１】図１０に続く表示遷移図である。
【図１２】従来におけるパララックスバリア方式の表示装置における３Ｄ画像表示時の視線説明図である。
【発明を実施するための形態】
【００２０】
以下、本発明の一実施の形態を図に従って説明する。図１は、本発明の一実施の形態を適用した電子カメラ１の概略構成を示すブロック図である。この電子カメラ１は、撮影機能と再生機能とを備える。撮影機能に関しては、静止画だけでなく動画を撮影する機能を備え、再生機能に関しては、通常の静止画、動画再生機能（２Ｄ画像再生機能）のみならず、３Ｄ画像の再生機能、及び部分的に３Ｄ画像部分を有する２Ｄ画像の再生機能も備えるものである。
【００２１】
すなわち、電子カメラ１は、ＣＣＤ２とＤＳＰ／ＣＰＵ３とを有している。ＤＳＰ／ＣＰＵ３は、ＪＰＥＧ方式による画像のデータの圧縮・伸張を含む各種デジタル信号処理機能を有するとともに電子カメラ１の各部を制御するワンチップマイコンである。ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。
【００２２】
また、ＤＳＰ／ＣＰＵ３には、表示装置６、キー入力部７、時計部８が接続されるとともに、アドレス・データバス９を介してＤＲＡＭ１０、内蔵フラッシュメモリ１１、カード・インターフェイス１２が接続されている。カード・インターフェイス１２には、図示しないカメラ本体のカードスロットに着脱自在に装着されたメモリ・カード１３が接続されている。
【００２３】
ＤＲＡＭ１０は、撮影待機モードの設定時にＣＣＤ２によって撮像され、デジタル化された被写体の画像データを一時保存するバッファであるとともに、ＤＳＰ／ＣＰＵ３のワーキングメモリとしても使用される。ＤＲＡＭ１０に一時保存された画像データは圧縮され、最終的にはメモリ・カード１３に記録される。内蔵フラッシュメモリ１１には、ＤＳＰ／ＣＰＵ３の動作プログラムや各部の制御に使用する各種データが記憶されており、ＤＳＰ／ＣＰＵ３は、前記動作プログラムに従い動作することにより本発明を構成する各種手段等として機能する。
【００２４】
キー入力部７は、シャッターキー、電源キー、モード選択キー、十字キー等の複数の操作キーを含み、使用者によるキー操作に応じたキー入力信号をＤＳＰ／ＣＰＵ３に出力する。シャッターキーは、半押しと全押しとが可能なハーフシャッター機能を有するものである。時計部８は日付及び時刻をカウントするカレンダー機能と時計機能とを有しており、撮影動作時等に必要に応じて日付データ及び時刻データをＤＳＰ／ＣＰＵ３へ送る。
【００２５】
前記表示装置６は、図２に示すように、表示モジュール６１と、この表示モジュール６１の前面に配置されたバリア制御素子６２とで構成されている。表示モジュール６１は、図３に示すように、左目用表示領域６３と右目用表示領域６４とが交互に設けられた液晶素子、ＥＬ素子等の表示体で構成され、表示方式は透過型、自発光型等のいずれであってもよい。
【００２６】
前記バリア制御素子６２は、例えばパッシブ型ＴＮ液晶素子であって、図３に示すように、下層部６５、液晶層６６及び上層部６７を順次積層して構成されている。下層部６５には、偏光板６８と透明基板６９とが下層側から順次積層されている。この透明基板６９上には、間隔をおいて前記左目用表示領域６３と右目用表示領域６４とに沿った方向（縦方向）に複数の透明電極７０が配置されているともに、これら透明電極７０を被覆する配向膜７１が設けられている。上層部６７は、前記下層部６５とは逆の断面構造であって、下層側から順次配向膜７２、複数の透明電極７３、透明基板７４、偏光板７５が積層されている。そして、上層部６７の透明電極７３は、下層部６５の透明電極７０と交差する方向（横方向）に配置されている。
【００２７】
したがって、下層部６５の透明電極７０と上層部６７の透明電極７３を制御することにより、液晶層６６を構成する液晶を最小単位（ドット単位）で駆動することができる。よって、バリア制御素子６２は、全面透明の状態を形成することができるとともに、最小単位（ドット単位）で不透明なバリアを形成することが可能である。
【００２８】
なお、本実施の形態において、メモリ・カード１３に予め記憶されて再生対象となる画像データは、下記Ａ、Ｂ、Ｃのいずれかのデータ種である。
【００２９】
・データＡ
表示用データとバリア用データとで構成されている。表示用データは、表示モジュール６１を制御するためのデータであって、３Ｄ画像データ（左目用画像データと右目用画像データ）、２Ｄ画像データ、部分的に３Ｄ画像データを含む２Ｄ画像データで構成されている。バリア用データは、３Ｄ画像データに基づき表示モジュール６１に３Ｄ画像を表示する際に、バリア制御素子６２の対応する領域にバリアを形成するためのバリア制御データである。
【００３０】
・データＢ
前記データＡにおける表示用データのみで構成されている。つまり、データＢは、表示モジュール６１を制御するための３Ｄ画像データ、２Ｄ画像データ、部分的に３Ｄ画像データを含む２Ｄ画像データで構成されている。
【００３１】
・データＣ
表示モジュール６１を制御するための２Ｄ画像データのみで構成されている。つまり、データＣは、この電子カメラ１での動画撮影等により撮影された通常の動画データである。
【００３２】
以上の構成からなる電子カメラ１において、ＤＳＰ／ＣＰＵ３は、前記プログラムに従って、図３に示すフローチャートに示すように処理を実行する。すなわち、再生モードにおいて、ユーザによりメモリ・カード１３に記憶されている画像データからいずれかが選択されると、この選択された画像データの読み出しを開始する（ステップＳ１）。引き続き、この読み出しを開始した画像データが前記データＡであるか否かを判断する（ステップＳ２）。
【００３３】
読み出しを開始した画像データがデータＡである場合は（ステップＳ２；ＹＥＳ）、当該画像データは前述のように、表示用データとバリア用データとで構成されている。また、表示用データは、３Ｄ画像データ（左目用画像データと右目用画像データ）、２Ｄ画像データ、部分的に３Ｄ画像データを含む２Ｄ画像データとで構成されている。したがって、これら順次読み出されるフレーム毎の表示用データに基づき、表示モジュール６１の表示動作を制御する（ステップＳ３）。
【００３４】
また、前述のようにバリア用データは、３Ｄ画像データに基づき表示モジュール６１に３Ｄ画像を表示する際に、バリア制御素子６２の対応する領域にバリアを形成するためのバリア制御データである。したがって、表示用データとともに読み出されたバリア用データに基づき、バリア制御素子６２の動作を制御する（ステップＳ４）。
【００３５】
すなわち、読み出されたフレームデータ（表示用データ）が３Ｄ画像データ（左目用画像データと右目用画像データ）のみである場合には、左目用表示領域６３と右目用表示領域６４とにより、図５に示すように、３Ｄ画像データの左目用画像データに基づく左目用画像Ｌと、右目用画像データに基づく右目用画像Ｒとを交互に表示モジュール６１に表示させる。また、これと同時に読み出されたバリア用データは、バリア制御素子６２の全面にバリアを形成する制御データである。
【００３６】
したがって、同図に示すように、バリア制御素子６２の略全面に亘って等間隔でバリアＸを形成する。これにより、観察者Ｍ（ユーザ）の左目は「Ｌ」画素によって表示される画像のみを、右目は「Ｒ」画素によって表示される画像のみを見ることができる。また、「Ｌ」及び「Ｒ」によってそれぞれ表示される画像には視差が与えられているので、観察者Ｍは立体視を行うことができる。
【００３７】
また、読み出されたフレームデータ（表示用データ）が２Ｄ画像データのみである場合には、図６（Ａ）及び図７（Ａ）に示すように、２Ｄ画像データに基づく２次元画像Ｎを表示モジュール６１に全面表示させる。つまり、左目用表示領域６３と右目用表示領域６４とを区別することなく、これら表示領域６３、６４で構成される表示領域を一体として２Ｄ画像データに基づく２次元画像Ｎを表示する。また、これと同時に読み出されたバリア用データは、バリア制御素子６２の全面にバリアを形成することなく透過状態とする制御データ（バリア制御素子６２の動作を停止させる制御データ）である。したがって、同図に示すように、バリア制御素子６２の全面が透過状態となり、観察者Ｍは両目で視差のない２次元画像Ｎを観察することとなり、観察者Ｍにより２次元画像Ｎが平面視されることなる。
【００３８】
このとき、表示モジュール６１には、その全面を用いて単一の２次元画像Ｎを表示すればよいのであるから、表示モジュール６１が有する全画素数を有効に用いて２次元画像Ｎを表示することができる。したがって、前述のように３Ｄ画像の表示を可能にしつつ、２Ｄ画像を表示モジュール６１の解像度に応じた高解像度で表示することができる。
【００３９】
また、読み出されたフレームデータ（表示用データ）が、部分的に３Ｄ画像データを含む２Ｄ画像データである場合には、図６（Ｂ）及び図７（Ｂ）に示すように、２Ｄ画像データに基づく２次元画像Ｎを表示モジュール６１に表示させるとともに、３Ｄ画像データの左目用画像データに基づく左目用画像Ｌと、右目用画像データに基づく右目用画像Ｒとを交互に表示モジュール６１に表示させる。また、これと同時に読み出されたバリア用データは、バリア制御素子６２の左目用画像Ｌと右目用画像Ｒとの間のみに、バリアＸを形成する制御データである。したがって、図６（Ｂ）及び図７（Ｂ）に示すように、バリア制御素子６２のバリアＸを除く部分は透過状態となる。よって、観察者Ｍはこの透過状態の部分を介して両目で視差のない２次元画像Ｎを観察することとなり、観察者Ｍにより２次元画像Ｎが平面視される。
【００４０】
また、以上の制御で用いられるデータＡは、予め表示用データとバリア用データとで記憶されていることから、表示用データに基づきバリア用データを生成する等の繁雑な処理を伴うことなく、データを読み出す単純な処理により、表示モジュール６１とバリア制御素子６２とを精度よく同期させて制御することができる。
【００４１】
一方、バリアＸが形成された領域においては、観察者Ｍ（ユーザ）の左目は「Ｌ」画素によって表示される画像のみを、右目は「Ｒ」画素によって表示される画像のみを見ることができる。また、「Ｌ」及び「Ｒ」によってそれぞれ表示される画像には視差が与えられているので、観察者Ｍは立体視を行うことができる。
【００４２】
このとき、２次元画像Ｎは前述のように、表示モジュール６１が有する全画素数を用いて表示されていることから、部分的な３Ｄ画像の表示を可能にしつつ、２Ｄ画像を表示モジュール６１の解像度に応じた高解像度で表示することができる。
【００４３】
また、図４のフローチャートにおいて、ステップＳ４に続くステップＳ５では、画像データの読み出しが終了して再生が完了したか否か、又は終了指示があったか否かを判断する。再生の完了又は終了指示があるまで、ステップＳ２からの処理を繰り返し、再生の完了又は終了指示があった時点でこのフローに従った処理を終了する。
【００４４】
他方、ステップＳ２の判断がＮＯであって、読み出された画像データがデータＡでなかった場合には、データＸであるか否かを判断する（ステップＳ６）。データＸであった場合には、読み出されたデータは、表示用データのみで構成されており、３Ｄ画像データ、２Ｄ画像データ、部分的に３Ｄ画像データを含む２Ｄ画像データで構成されている。したがって、この読み出されたデータには、バリア用データが含まれていないことから、このバリア用データを生成する（ステップＳ７）。
【００４５】
すなわち、読み出されたフレームデータ（表示用データ）が３Ｄ画像データ（左目用画像データと右目用画像データ）のみである場合には、表示モジュール６１に表示される左目用画像データに基づく左目画像と右目用画像データに基づく左目画像との間に、バリア制御素子６２にてバリアを形成するバリア用データを生成する。また、読み出されたフレームデータ（表示用データ）が２Ｄ画像データのみである場合には、バリア制御素子６２の全面にバリアを形成することなく透過状態とするバリア用データを生成する。また、読み出されたフレームデータ（表示用データ）が、部分的に３Ｄ画像データを含む２Ｄ画像データである場合には、表示モジュール６１に表示される左目用画像データに基づく左目画像と右目用画像データに基づく左目画像との間のみに、バリア制御素子６２にてバリアを形成するバリア用データを生成する。
【００４６】
しかる後に、前述したステップＳ３及びＳ４の処理を実行する。したがって、読み出された画像データがデータＢである場合であっても、データＡである場合と同様に、３Ｄ画像の表示を可能にしつつ、２Ｄ画像を表示モジュール６１の解像度に応じた高解像度で表示することができる。
【００４７】
また、ステップＳ６の判断がＮＯであった場合は、読み出された画像データは、２Ｄ画像データのみで構成されたデータＣであり、この電子カメラ１で撮影された通常の動画データである。この場合には、ステップＳ６からステップＳ８に進み、後述するように３Ｄ表示する画像部分（画像領域）である主要画像が設定済（決定済）であるか否かを判断する（ステップＳ８）。主要画像が未設定である場合には（ステップＳ８；ＮＯ）、順次読み込まれる前後フレーム画像を比較することにより、フレーム画像中に部分的な動的領域があるか否か、つまり動く部分があるか否かを判断する（ステップＳ９）。
【００４８】
フレーム画像中に部分的な動的領域がない場合、風景を撮影した動画等である場合には、前述の図６（Ａ）及び図７（Ａ）に示したように、２Ｄ画像データに基づく２次元画像Ｎを表示モジュール６１に全画面表示させる（ステップＳ０）。また、バリア制御素子６２の動作を停止させて、全面をバリアを形成することなく透過状態にする（ステップＳ１１）。これにより、図６（Ａ）及び図７（Ａ）に示したように、バリア制御素子６２の全面が透過状態となり、観察者Ｍは両目で視差のない２次元画像Ｎを観察することとなり、観察者Ｍにより２次元画像Ｎが平面視されることなる。
【００４９】
また、ステップＳ９での判断の結果、部分的な動的領域がある場合には、当該動的領域の輪郭を抽出し、この抽出した輪郭内の画像を主要画像として決定し、ＤＲＡＭ１０に記憶する（ステップＳ１２）。引き続き、この決定した主要画像の３Ｄデータ、つまり視差のある左目用画像データと右目用画像データとを生成し、この生成した主要画像の３Ｄデータを元のフレーム画像内の主要画像部分に合成した表示用データを生成する（ステップＳ１３）。また、前記主要画像部分に対応してバリアを形成するバリア用データを生成する（ステップＳ１４）。
【００５０】
しかる後に、前述したステップＳ３及びステップＳ４の処理を実行する。これにより、図６（Ｂ）及び図７（Ｂ）に示したように、２Ｄ画像データに基づく２次元画像Ｎが表示モジュール６１に表示されるとともに、３Ｄ画像データの左目用画像データに基づく左目用画像Ｌと、右目用画像データに基づく右目用画像Ｒとが交互に表示モジュール６１に表示させる。また、バリア制御素子６２のバリアＸを除く部分は透過状態となる。
【００５１】
よって、観察者Ｍはこの透過状態の部分を介して両目で視差のない２次元画像Ｎを観察することとなり、観察者Ｍにより２次元画像Ｎが平面視される。また、バリアＸが形成された領域においては、観察者Ｍ（ユーザ）の左目は「Ｌ」画素によって表示される画像のみを、右目は「Ｒ」画素によって表示される画像のみを見ることができる。また、「Ｌ」及び「Ｒ」によってそれぞれ表示される画像には視差が与えられているので、観察者Ｍは立体視を行うことができる。
【００５２】
また、前記ステップＳ１２で主要画像が決定されて記憶されると、以降はステップＳ８の判断がＹＥＳとなる。したがって、ステップＳ８からステップＳ１５に進み、次に読み出されたフレーム画像において、前記主要画像の領域を認識して、前記ステップＳ１３に進む。したがって、図８に示すように、再生画像中において移動する主要画像Ｏのみを立体画像にして表示することができる。
【００５３】
また、図９〜図１１に示すように、主要画像Ｏがフレーム右側（図９）→フレーム中央下部（図１０）→フレーム左上部（図１１）と変化するフレーム画像からなる画像データが読み出されると、ステップＳ１５で図９〜図１１に示す主画像Ｏが順次認識される。そして、前記ステップＳ１３及びステップＳ１４の処理が実行された後、前記ステップＳ３及びステップＳ４の処理が実行される。これにより、図９〜図１１に示すように、表示モジュール６１には、主画像Ｏの左目用画像データに基づく左目用画像と右目用画像データに基づく右目用画像とが表示され、バリア制御素子６２には主画像Ｏの領域に対応する領域にバリアＸが形成される。
【００５４】
このとき、主要画像Ｏ以外の背景部分は、２Ｄ表示され、この２Ｄ表示は前述のように表示モジュール６１の解像度に応じた高解像度である。よって、背景部分を高解像度で表示しつつ、特定の部分は迫力のある３Ｄ画像で表示することができる。
【００５５】
しかも、本実施の形態においては、主要画像とされる領域は、動きのある領域であることから、背景部分を高解像度で表示しつつ、動きのある部分は迫力のある３Ｄ画像で表示することができる。
【００５６】
また、ステップＳ２及びステップＳ６での判断結果に応じて、前述した各処理を行うようにしたことから、メモリ・カード１３にどのような種別や形態で画像データが記憶されていても、３Ｄ画像の表示を可能にしつつ、２Ｄ画像を表示モジュール６１の解像度に応じた高解像度で表示することができる。
【００５７】
なお、本実施の形態においては、フレーム画像中における動的な領域を３Ｄ表示する主要画像とするようにしたが、主要画像とする条件はこれに限ることなく、ある特定の形状の部分や、特定の色彩を含む領域を主要画像とする等、主要画像は任意の条件で決定すればよい。また、実施の形態においては、本発明を電子カメラ１に適用した場合を示したが、表示機能を有する他の機器にも適用し得ることは勿論である。
【符号の説明】
【００５８】
１    電子カメラ
２    ＣＣＤ
３    ＤＳＰ／ＣＰＵ
４    ＴＧ
５    ユニット回路
６    表示装置
７    キー入力部
１０    ＤＲＡＭ
１１    内蔵フラッシュメモリ
１２    インターフェイス
１３    メモリ・カード
６１    表示モジュール
６２    バリア制御素子
６３    左目用表示領域
６４    右目用表示領域
６５    下層部
６６    液晶層
６７    上層部
６８    偏光板
６９    透明基板
７０    透明電極
７１    配向膜
７２    配向膜
７３    透明電極
７４    透明基板
７５    偏光板
Ｘ    バリア
Ｌ    左目用画像
Ｍ    観察者
Ｏ    主要画像
Ｒ    右目用画像
【図１】
2010231045.tif 000003
【図２】
2010231045.tif 000004
【図３】
2010231045.tif 000005
【図４】
2010231045.tif 000006
【図５】
2010231045.tif 000007
【図６】
2010231045.tif 000008
【図７】
2010231045.tif 000009
【図８】
2010231045.tif 000010
【図９】
2010231045.tif 000011
【図１０】
2010231045.tif 000012
【図１１】
2010231045.tif 000013
【図１２】
2010231045.tif 000014